(57)【要約】【課題】制御信号の量を必要以上に増加させることなく、ユーザ装置が能力情報を適切に基地局に通知する。【解決手段】基地局とユーザ装置とを備える移動通信システムにおいて使用される前記ユーザ装置において、前記ユーザ装置において第１の機能がサポートされていることを示す第１の能力情報と、前記ユーザ装置がサポートする第２の機能の能力を示す第２の能力情報とを前記基地局に通知する能力情報通知部を備え、前記能力情報通知部が、前記第１の能力情報と前記第２の能力情報に加えて、前記第１の機能に対応した前記第２の機能の能力を示す第３の能力情報を前記基地局に通知する場合に、前記第１の機能に対して、前記第３の能力情報に示される前記第２の機能の能力を有すると判断され、前記第３の能力情報を通知しない場合に、前記第１の機能に対して、前記第２の能力情報に示される前記第２の機能の能力を有すると判断される。【選択図】図３
2017147570.tif 000002
【特許請求の範囲】
【請求項１】
基地局とユーザ装置とを備える移動通信システムにおいて使用される前記ユーザ装置であって、
前記ユーザ装置において第１の機能がサポートされていることを示す第１の能力情報と、前記ユーザ装置がサポートする第２の機能の能力を示す第２の能力情報とを前記基地局に通知する能力情報通知部を備え、
前記能力情報通知部が、前記第１の能力情報と前記第２の能力情報に加えて、前記第１の機能に対応した前記第２の機能の能力を示す第３の能力情報を前記基地局に通知する場合に、前記基地局において、前記ユーザ装置は、前記第１の機能に対して、前記第３の能力情報に示される前記第２の機能の能力を有すると判断され、
前記能力情報通知部が、前記第３の能力情報を前記基地局に通知しない場合に、前記基地局において、前記ユーザ装置は、前記第１の機能に対して、前記第２の能力情報に示される前記第２の機能の能力を有すると判断される
ことを特徴とするユーザ装置。
【請求項２】
前記第１の機能は、所定の変調方式であることを特徴とする請求項１に記載のユーザ装置。
【請求項３】
前記所定の変調方式は、下り２５６ＱＡＭであることを特徴とする請求項２に記載のユーザ装置。
【請求項４】
前記第２の機能の能力は、前記ユーザ装置がサポートする最大の下りのＭＩＭＯレイヤ数、又は、前記ユーザ装置がサポートする最大のＣＳＩプロセス数である
ことを特徴とする請求項１ないし３のうちいずれか１項に記載のユーザ装置。
【請求項５】
基地局とユーザ装置とを備える移動通信システムにおいて使用される前記基地局であって、
前記ユーザ装置において第１の機能がサポートされていることを示す第１の能力情報と、前記ユーザ装置がサポートする第２の機能の能力を示す第２の能力情報とを前記ユーザ装置から受信する受信部と、
前記ユーザ装置の能力を判定する能力判定部とを備え、
前記受信部が、前記第１の能力情報と前記第２の能力情報に加えて、前記第１の機能に対応した前記第２の機能の能力を示す第３の能力情報を前記ユーザ装置から受信した場合に、前記能力判定部は、前記ユーザ装置が、前記第１の機能に対して、前記第３の能力情報に示される前記第２の機能の能力を有すると判断し、
前記受信部が、前記第３の能力情報を前記ユーザ装置から受信しない場合に、前記能力判定部は、前記ユーザ装置が、前記第１の機能に対して、前記第２の能力情報に示される前記第２の機能の能力を有すると判断する
ことを特徴とする基地局。
【請求項６】
基地局とユーザ装置とを備える移動通信システムにおいて使用される前記ユーザ装置が実行する能力情報通知方法であって、
前記ユーザ装置において第１の機能がサポートされていることを示す第１の能力情報と、前記ユーザ装置がサポートする第２の機能の能力を示す第２の能力情報とを前記基地局に通知する能力情報通知ステップを備え、
前記能力情報通知ステップにおいて、前記ユーザ装置が、前記第１の能力情報と前記第２の能力情報に加えて、前記第１の機能に対応した前記第２の機能の能力を示す第３の能力情報を前記基地局に通知する場合に、前記基地局において、前記ユーザ装置は、前記第１の機能に対して、前記第３の能力情報に示される前記第２の機能の能力を有すると判断され、
前記能力情報通知ステップにおいて、前記ユーザ装置が、前記第３の能力情報を前記基地局に通知しない場合に、前記基地局において、前記ユーザ装置は、前記第１の機能に対して、前記第２の能力情報に示される前記第２の機能の能力を有すると判断される
ことを特徴とする能力情報通知方法。
【請求項７】
基地局とユーザ装置とを備える移動通信システムにおいて使用される前記基地局が実行する能力判定方法であって、
前記ユーザ装置において第１の機能がサポートされていることを示す第１の能力情報と、前記ユーザ装置がサポートする第２の機能の能力を示す第２の能力情報とを前記ユーザ装置から受信する受信ステップと、
前記ユーザ装置の能力を判定する能力判定ステップとを備え、
前記受信ステップにより、前記第１の能力情報と前記第２の能力情報に加えて、前記第１の機能に対応した前記第２の機能の能力を示す第３の能力情報を前記ユーザ装置から受信した場合に、前記能力判定ステップにおいて、前記基地局は、前記ユーザ装置が、前記第１の機能に対して、前記第３の能力情報に示される前記第２の機能の能力を有すると判断し、
前記受信ステップにより、前記第３の能力情報を前記ユーザ装置から受信しない場合に、前記能力判定ステップにおいて、前記基地局は、前記ユーザ装置が、前記第１の機能に対して、前記第２の能力情報に示される前記第２の機能の能力を有すると判断する
ことを特徴とする能力判定方法。
【発明の詳細な説明】
【技術分野】
【０００１】
本発明は、移動通信システムにおけるユーザ装置ＵＥが、基地局ｅＮＢに自身の能力情報を通知する技術に関連するものである。
【背景技術】
【０００２】
ＬＴＥ（ＬＴＥ−Ａｄｖａｎｃｅｄを含む）システムにおいて、ユーザ装置ＵＥは、自身の能力（Ｃａｐａｂｉｌｉｔｙ）を所定のシグナリングメッセージ（ＵＥ−ＥＵＴＲＡ−Ｃａｐａｂｉｌｉｔｙ）で基地局ｅＮＢに通知することが規定されている（非特許文献１）。例えば、非特許文献１には、ＲＲＣ接続状態のユーザ装置ＵＥが基地局ｅＮＢからＵＥ能力要求（ＵＥＣａｐａｂｉｌｉｔｙＥｎｑｕｉｒｙ）を受信した場合に、ユーザ装置ＵＥが基地局ｅＮＢに対してＵＥ能力情報（ＵＥＣａｐａｂｉｌｉｔｙＩｎｆｏｒｍａｔｉｏｎ）を送信することが記載されている。
【０００３】
ユーザ装置ＵＥから基地局ｅＮＢに通知する能力情報には様々な種類の情報があるが、ユーザ装置ＵＥから基地局ｅＮＢに通知する能力情報として、例えば、ユーザ装置ＵＥが対応する周波数バンド、変調方式等がある。
【先行技術文献】
【非特許文献】
【０００４】
【非特許文献１】3GPP TS 36.331 V12.8.0 (2015-12)
【発明の概要】
【発明が解決しようとする課題】
【０００５】
より具体的な例として、ユーザ装置ＵＥから基地局ｅＮＢに通知する能力情報として、下り２５６ＱＡＭ（ｑｕａｄｒａｔｕｒｅ  ａｍｐｌｉｔｕｄｅ  ｍｏｄｕｌａｔｉｏｎ）がある。変調方式として下り２５６ＱＡＭを導入することで、下り受信の高速化を図ることができるが、一般に、信号点の数が少ない１６ＱＡＭや６４ＱＡＭに比べて実装の難易度は増加する。特に、高周波数帯において実装の難易度が高くなる。
【０００６】
更に、ユーザ装置ＵＥから基地局ｅＮＢに通知する能力情報として、対応できる最大の下りＭＩＭＯレイヤ数がある。なお、ＭＩＭＯレイヤ数とは、送信側から見れば、同時に送信できるストリーム数である。ユーザ装置ＵＥが、ある下りＭＩＭＯレイヤ数に対応しているとは、基地局ｅＮＢから送信された当該レイヤ数分のストリームを受信し、データを復調、復号することができるということである。
【０００７】
非特許文献１に記載の仕様によれば、ユーザ装置ＵＥは、自身が対応する周波数バンド毎に下り２５６ＱＡＭの対応有無を通知できるとともに、周波数バンド毎に、対応する最大の下りＭＩＭＯレイヤ数を通知できる。
【０００８】
ここで、ユーザ装置ＵＥにおける下り２５６ＱＡＭの実装の複雑性によって、例えば、ある周波数バンドについて、１６ＱＡＭや６４ＱＡＭであれば下りＭＩＭＯレイヤ数＝４まで対応できるが、下り２５６ＱＡＭでは下りＭＩＭＯレイヤ数＝２までしか対応できないといった場合が生じ得る。
【０００９】
しかしながら、従来技術では、上記のような場合に、ユーザ装置ＵＥは、適切に能力情報を基地局ｅＮＢに通知することができない。ここで、全てのユーザ装置ＵＥが、周波数バンド毎の下りＭＩＭＯレイヤ数の通知に加えて、下り２５６ＱＡＭに対する下りＭＩＭＯレイヤ数を通知することが考えられるが、全てのユーザ装置ＵＥがそのようなシグナリングを行うことになると、制御信号の量が必要以上に増加し、ネットワーク（ＮＷ）負荷の増加につながるため、好ましくない。
【００１０】
上記のような課題は、下り２５６ＱＡＭ及び下りＭＩＭＯレイヤ数に限らず、ユーザ装置ＵＥが備え得る種々の機能において生じ得る課題である。
【００１１】
本発明は上記の点に鑑みてなされたものであり、移動通信システムにおいて、制御信号の量を必要以上に増加させることなく、ユーザ装置が能力情報を適切に基地局に通知することを可能とする技術を提供することを目的とする。
【課題を解決するための手段】
【００１２】
開示の技術によれば、基地局とユーザ装置とを備える移動通信システムにおいて使用される前記ユーザ装置であって、
前記ユーザ装置において第１の機能がサポートされていることを示す第１の能力情報と、前記ユーザ装置がサポートする第２の機能の能力を示す第２の能力情報とを前記基地局に通知する能力情報通知部を備え、
前記能力情報通知部が、前記第１の能力情報と前記第２の能力情報に加えて、前記第１の機能に対応した前記第２の機能の能力を示す第３の能力情報を前記基地局に通知する場合に、前記基地局において、前記ユーザ装置は、前記第１の機能に対して、前記第３の能力情報に示される前記第２の機能の能力を有すると判断され、
前記能力情報通知部が、前記第３の能力情報を前記基地局に通知しない場合に、前記基地局において、前記ユーザ装置は、前記第１の機能に対して、前記第２の能力情報に示される前記第２の機能の能力を有すると判断される
ことを特徴とするユーザ装置が提供される。
【００１３】
また、開示の技術によれば、基地局とユーザ装置とを備える移動通信システムにおいて使用される前記基地局であって、
前記ユーザ装置において第１の機能がサポートされていることを示す第１の能力情報と、前記ユーザ装置がサポートする第２の機能の能力を示す第２の能力情報とを前記ユーザ装置から受信する受信部と、
前記ユーザ装置の能力を判定する能力判定部とを備え、
前記受信部が、前記第１の能力情報と前記第２の能力情報に加えて、前記第１の機能に対応した前記第２の機能の能力を示す第３の能力情報を前記ユーザ装置から受信した場合に、前記能力判定部は、前記ユーザ装置が、前記第１の機能に対して、前記第３の能力情報に示される前記第２の機能の能力を有すると判断し、
前記受信部が、前記第３の能力情報を前記ユーザ装置から受信しない場合に、前記能力判定部は、前記ユーザ装置が、前記第１の機能に対して、前記第２の能力情報に示される前記第２の機能の能力を有すると判断する
ことを特徴とする基地局が提供される。
【００１４】
また、開示の技術によれば、前記ユーザ装置が実行する能力情報通知方法、及び、前記基地局が実行する能力判定方法が提供される。
【発明の効果】
【００１５】
開示の技術によれば、移動通信システムにおいて、制御信号の量を必要以上に増加させることなく、ユーザ装置が能力情報を適切に基地局に通知することを可能とする技術が提供される。
【図面の簡単な説明】
【００１６】
【図１】本発明の実施の形態に係る通信システムの構成図である。
【図２】本発明の実施の形態に係る通信システムの動作を示すシーケンス図である。
【図３】本実施の形態の概要を説明するための図である。
【図４】仕様変更例を示す図である。
【図５】仕様変更例を示す図である。
【図６】仕様変更例を示す図である。
【図７】ｅＮＢの動作例を説明するためのフローチャートである。
【図８】ユーザ装置ＵＥの構成図である。
【図９】ユーザ装置ＵＥのＨＷ構成図である。
【図１０】基地局ｅＮＢの構成図である。
【図１１】基地局ｅＮＢのＨＷ構成図である。
【発明を実施するための形態】
【００１７】
以下、図面を参照して本発明の実施の形態を説明する。以下で説明する実施の形態は一例に過ぎず、本発明が適用される実施の形態は、以下の実施の形態に限られるわけではない。例えば、本実施の形態に係る移動通信システムはＬＴＥに準拠した方式のシステムを想定しているが、本発明はＬＴＥに限定されるわけではなく、他の方式にも適用可能である。また、本明細書及び特許請求の範囲において、「ＬＴＥ」は、３ＧＰＰのＲｅｌ−１２、１３、１４もしくはそれ以降に対応する通信方式（５Ｇを含む）を含み得る広い意味で使用する。
【００１８】
（システム全体構成）
図１に、本発明の実施の形態に係る通信システムの構成図を示す。図１に示すように、本実施の形態の通信システムは、基地局ｅＮＢとユーザ装置ＵＥを含む移動通信システムである。図１には、基地局ｅＮＢとユーザ装置ＵＥが１つずつ示されているが、これは例であり、それぞれ複数あってもよい。
【００１９】
本実施の形態において、図２に示すように、ユーザ装置ＵＥは、ステップＳ１０１で基地局ｅＮＢから送信されるＵＥ能力情報要求（例：UE capability enquiry）に基づいて、基地局ｅＮＢに対してＵＥ能力情報を送信する（ステップＳ１０２）。
【００２０】
なお、図２に示す通知方法は例であり、例えば、ユーザ装置ＵＥは、基地局ｅＮＢからＵＥ能力情報要求を受信することなくＵＥ能力情報を基地局ｅＮＢに通知してもよい。以下、便宜上、ユーザ装置ＵＥと基地局ｅＮＢをそれぞれＵＥ、ｅＮＢと記述する。
【００２１】
（能力情報通知方法の概要）
基本的な動作として、ＵＥは、自身が対応する（サポートする）周波数バンド毎に、下り２５６ＱＡＭの対応有無と、対応する最大の下りＭＩＭＯレイヤ数を有する能力情報をｅＮＢに送信する。なお、本明細書では、この「下りＭＩＭＯレイヤ数」を、既存の仕様書に記載されているという意味で、便宜上、「既存下りＭＩＭＯレイヤ数」と呼ぶ場合がある。
【００２２】
既存下りＭＩＭＯレイヤ数の通知は、後述する追加の下りＭＩＭＯレイヤ数の通知（下り２５６ＱＡＭに対応した下りＭＩＭＯレイヤ数の通知）がない限り、どの変調方式でも当該既存下りＭＩＭＯレイヤ数に対応することを示す。
【００２３】
ＵＥは、下り２５６ＱＡＭの使用において、上記の既存下りＭＩＭＯレイヤ数に対応していない場合に、下り２５６ＱＡＭに対して対応できる最大の下りＭＩＭＯレイヤ数を追加でｅＮＢに通知する。なお、ＵＥは、下り２５６ＱＡＭの使用において、既存下りＭＩＭＯレイヤ数に対応している場合でも、上記の追加の下りＭＩＭＯレイヤ数の通知を行うこととしてもよい。なお、本明細書では、この追加で通知する下りＭＩＭＯレイヤ数を、便宜上、「追加下りＭＩＭＯレイヤ数」と呼ぶ場合がある。
【００２４】
ｅＮＢは、ＵＥから、追加下りＭＩＭＯレイヤ数の通知を受信しない場合には、ＵＥは、該当する周波数バンドにおいて、下り２５６ＱＡＭの使用に際し、既存下りＭＩＭＯレイヤ数に対応している判断する。
【００２５】
また、eNBは、UEから、追加下りＭＩＭＯレイヤ数の通知を受信した場合には、ＵＥは、該当する周波数バンドにおいて、下り２５６ＱＡＭの使用に際し、追加下りＭＩＭＯレイヤ数に対応していると判断する。
【００２６】
上記の各判断をしたｅＮＢは、下り２５６ＱＡＭに関して、ＵＥがサポートする最大の下りＭＩＭＯレイヤ数の範囲内で、ＵＥに対する設定（configuration）、及びＵＥに対するスケジューリングを行う。
【００２７】
図３（ａ）、（ｂ）を参照して具体例を説明する。図３（ａ）、（ｂ）は、ＵＥが対応するある周波数バンドについての情報の送信を示す。実際には、ＵＥが対応する周波数バンド毎にこのような情報を含む能力情報がｅＮＢに通知される。
【００２８】
図３（ａ）の例では、ＵＥは、自身が対応するある周波数バンドに対する能力情報として、「下りＭＩＭＯレイヤ数＝４」（既存下りＭＩＭＯレイヤ数）、「下り２５６ＱＡＭをサポート」をｅＮＢに送信する。図３（ａ）の例では、下り２４６ＱＡＭに対する下りＭＩＭＯレイヤ数の情報（追加下りＭＩＭＯレイヤ数）は通知されない。
【００２９】
この場合、ｅＮＢは、当該周波数バンドにおいて、ＵＥは、下り２５６ＱＡＭに対し、最大で下りＭＩＭＯレイヤ数＝４に対応していると判断する。
【００３０】
図３（ｂ）の例では、ＵＥは、当該周波数バンドに対する能力情報として、「下りＭＩＭＯレイヤ数＝４」（既存下りＭＩＭＯレイヤ数）、「下り２５６ＱＡＭをサポート」、及び、「下り２５６ＱＡＭに対する下りＭＩＭＯレイヤ数＝２」（追加下りＭＩＭＯレイヤ数）をｅＮＢに送信する。
【００３１】
この場合、ｅＮＢは、当該周波数バンドにおいて、ＵＥは、下り２５６ＱＡＭに対し、最大で下りＭＩＭＯレイヤ数＝２に対応していると判断する。
【００３２】
（仕様変更例）
図４〜図６に、本実施の形態に係る通信システムの動作を規定する３ＧＰＰ仕様書（３ＧＰＰ  ＴＳ  ３６．３３１）の記載例（抜粋）を示す。図４〜図６において既存の仕様書である非特許文献１から変更される箇所に下線が引かれている。なお、図４〜図６に記載された例は、一例である。
【００３３】
まず、図４（ａ）、（ｂ）を参照して、第１の例を説明する。
【００３４】
図４（ａ）は、第１の例における「UE-EUTRA-Capability information element」（ＵＥ能力情報要素）を示す。図４（ａ）に示すように、「supportedMIMO-CapabilityDL-256QAM-r12」（下り２５６ＱＡＭに対してサポートされる下りＭＩＭＯ能力）により示されるフィールドが追加される。
【００３５】
図４（ｂ）に、「supportedMIMO-CapabilityDL-256QAM-r12」の説明箇所を示す。図４（ｂ）に記載のとおり、当該フィールドは、ＵＥが、ある周波数バンドについて下り２５６ＱＡＭに対応し、かつ、ｅＮＢから下り２５６ＱＡＭが設定された場合における（つまり、ＵＥが下り２５６ＱＡＭを使用する場合における）、下りの最大ＭＩＭＯレイヤ数（空間多重レイヤ数）を規定する。当該周波数バンドについて、ＵＥがｅＮＢに通知する能力情報に当該フィールドが存在しない場合には、下り２５６ＱＡＭが設定されたＵＥの下りの最大ＭＩＭＯレイヤ数（ＵＥに対して設定可能な下りの最大ＭＩＭＯレイヤ数）は、当該周波数バンドに対してＵＥからｅＮＢに通知される既存の下りの最大ＭＩＭＯレイヤ数に従う。より具体的には、既存の下りの最大ＭＩＭＯレイヤ数とは、suppportedMIMO-CapabilityDL-r10, supportedMIMO-CapabilityDL-r12、fourLayerTM3-TM4-r10、fourLayerTM3-TM4-perCC-r12、又はthe maximum layers indicated by ue-Category等のパラメータ値である。
【００３６】
第２の例を図５、図６を参照して説明する。上述した第１の例では、追加下りＭＩＭＯレイヤ数として、MIMO-CapabilityDL（２レイヤ、４レイヤ、又は８レイヤの値）を通知するが、第２の例では、追加下りＭＩＭＯレイヤ数として、"８レイヤに対応している"ことを示す情報、"４レイヤに対応している"ことを示す情報、"２レイヤに対応している"ことを示す情報のうちのいずれかを通知する。第１の例と第２の例は、下りＭＩＭＯレイヤ数の通知方法が異なるが、実質的には同じであるといえる。
【００３７】
図５は、第２の例における「UE-EUTRA-Capability information element」（ＵＥ能力情報要素）を示す。図５に示すように、「eightLayerDL-256QAM-r12」（下り２５６ＱＡＭに対する最大下りＭＩＭＯレイヤ数＝８）、「fourLayerDL-256QAM-r12」（下り２５６ＱＡＭに対する最大下りＭＩＭＯレイヤ数＝４）、「twoLayerDL-256QAM-r12」（下り２５６ＱＡＭにする最大下りＭＩＭＯレイヤ数＝２）により示される各フィールドが追加される。
【００３８】
図６（ａ）に、「eightLayerDL-256QAM-r12」の説明箇所を示す。図６（ａ）に記載のとおり、当該フィールドは、ＵＥが、ある周波数バンドについて下り２５６ＱＡＭに対応し、かつ、ｅＮＢから下り２５６ＱＡＭが設定された場合において、下りの最大ＭＩＭＯレイヤ数＝８に対応するか否かを規定する。当該周波数バンドについて、当該フィールドが存在しない場合（及び、fourLayerDL-256QAM-r12、twoLayerDL-256QAM-r12も存在しない場合）には、下り２５６ＱＡＭが設定されたＵＥの下りの最大ＭＩＭＯレイヤ数は、当該周波数バンドに対してＵＥからｅＮＢに通知される既存の下りの最大ＭＩＭＯレイヤ数に従う。具体例は、図４（ｂ）の場合と同じである。
【００３９】
図６（ｂ）、（ｃ）に示す「fourLayerDL-256QAM-r12」、「twoLayerDL-256QAM-r12」の場合についても、レイヤ数が４、２になることを除き、上述した「eightLayerDL-256QAM-r12」の場合と同じである。
【００４０】
（ｅＮＢの判断動作例）
次に、図７に示すフローチャートを参照して、ＵＥから能力情報を受信するｅＮＢにおける判断の動作例を説明する。この動作例は、ＵＥがサポートするある周波数バンド（これを周波数バンドＢとする）に関しての能力情報を受信したｅＮＢにおける判断の動作を示している。
【００４１】
ステップＳ１０１において、ｅＮＢは、ＵＥから受信した能力情報に基づき、下りＭＩＭＯレイヤ数（既存下りＭＩＭＯレイヤ数）がＡレイヤであり、下り２５６ＱＡＭに対応していることを示す情報を受信していることを確認する。
【００４２】
ステップＳ１０２において、ｅＮＢは、前述した追加のフィールドの有無を確認することで、下り２５６ＱＡＭに対する下りＭＩＭＯレイヤ数の情報（追加下りＭＩＭＯレイヤ数）を受信しているか否かを判定する。
【００４３】
ステップＳ１０２の判定がＹｅｓの場合、すなわち、追加下りＭＩＭＯレイヤ数の情報を受信している場合、ステップＳ１０３に進み、ｅＮＢは、当該周波数バンドＢにおいて、ＵＥが、下り２５６ＱＡＭに対して、最大で、上記追加下りＭＩＭＯレイヤ数に対応していると判断する。
【００４４】
一方、ステップＳ１０２の判定がＮｏの場合、すなわち、追加下りＭＩＭＯレイヤ数の情報を受信していない場合、ステップＳ１０４に進み、ｅＮＢは、当該周波数バンドＢにおいて、ＵＥが、下り２５６ＱＡＭに対して、最大で、既存下りＭＩＭＯレイヤ数＝Ａレイヤに対応していると判断する。
【００４５】
（装置構成）
次に、ＵＥとｅＮＢの構成例を説明する。
【００４６】
＜ユーザ装置ＵＥ＞
図８に、本実施の形態におけるＵＥの機能構成図を示す。図８に示すように、ＵＥは、ＤＬ信号受信部１０１、ＵＬ信号送信部１０２、ＵＥ能力情報格納部１０３、ＵＥ能力情報通知制御部１０４を備える。図８は、ＵＥにおいて本発明の実施の形態に特に関連する機能部のみを示すものであり、少なくともＬＴＥに準拠した動作を行うための図示しない機能も有するものである。また、図８に示す機能構成は一例に過ぎない。本実施の形態に係る動作を実行できるのであれば、機能区分や機能部の名称はどのようなものでもよい。
【００４７】
ＤＬ信号受信部１０１は、ｅＮＢから各種の下り信号を受信し、受信した物理レイヤの信号からより上位のレイヤの情報を取得する機能を含み、ＵＬ信号送信部１０２は、ＵＥから送信されるべき上位のレイヤの情報から、物理レイヤの各種信号を生成し、ｅＮＢに対して送信する機能を含む。ＤＬ信号受信部１０１とＵＬ信号送信部１０２はそれぞれ、パケットバッファを備え、少なくともレイヤ１（ＰＨＹ）及びレイヤ２（ＭＡＣ、ＲＬＣ、ＰＤＣＰ）の処理機能を含むことを想定している。ただし、これに限られるわけではない。
【００４８】
ＵＥ能力情報格納部１０３は、ＵＥ自身がサポートしている下り２５６ＱＡＭ及び下りＭＩＭＯ数に関する能力情報を含むＵＥ能力情報を格納する。ＵＥ能力情報は、ＣａｐａｂｉｌｉｔｙのＲＲＣメッセージで通知するパラメータの形式の情報であってもよいし、その他の形式の情報であってもよい。
【００４９】
ＵＥ能力情報通知制御部１０４は、ＵＥ能力情報格納部１０３から自身の能力情報を取得し、ＣａｐａｂｉｌｉｔｙのＲＲＣメッセージを作成し、ＵＬ信号送信部１０２から基地局ｅＮＢに通知する。当該能力情報には、サポートする周波数バンド等の情報に加えて、これまでに説明したように、下り２５６ＱＡＭに関する能力情報、下りＭＩＭＯレイヤ数に関する能力情報が含まれる。ＵＥ能力情報通知制御部１０４は、例えば、図４〜図６に示した情報要素を含むＣａｐａｂｉｌｉｔｙのＲＲＣメッセージを作成し、ｅＮＢに送信する。
【００５０】
図８に示すＵＥの構成は、全体をハードウェア回路（例：１つ又は複数のＩＣチップ）で実現してもよいし、一部をハードウェア回路で構成し、その他の部分をＣＰＵとプログラムとで実現してもよい。
【００５１】
図９は、ＵＥのハードウェア（ＨＷ）構成の例を示す図である。図９は、図８よりも実装例に近い構成を示している。図９に示すように、ＵＥは、無線信号に関する処理を行うＲＥ（Ｒａｄｉｏ  Ｅｑｕｉｐｍｅｎｔ）モジュール１５１と、ベースバンド信号処理を行うＢＢ（Ｂａｓｅ  Ｂａｎｄ）処理モジュール１５２と、上位レイヤ等の処理を行う装置制御モジュール１５３と、ＵＳＩＭカードにアクセスするインタフェースであるＵＳＩＭスロット１５４とを有する。
【００５２】
ＲＥモジュール１５１は、ＢＢ処理モジュール１５２から受信したデジタルベースバンド信号に対して、Ｄ／Ａ（Ｄｉｇｉｔａｌ−ｔｏ−Ａｎａｌｏｇ）変換、変調、周波数変換、及び電力増幅等を行うことでアンテナから送信すべき無線信号を生成する。また、アンテナから受信した無線信号に対して、周波数変換、Ａ／Ｄ（Ａｎａｌｏｇ  ｔｏ  Ｄｉｇｉｔａｌ）変換、復調等を行うことでデジタルベースバンド信号を生成し、ＢＢ処理モジュール１５２に渡す。ＲＥモジュール１５１は、例えば、図８のＤＬ信号受信部１０１、ＵＬ信号送信部１０２、における物理レイヤ等の機能を含む。
【００５３】
ＢＢ処理モジュール１５２は、ＩＰパケットとデジタルベースバンド信号とを相互に変換する処理を行う。ＤＳＰ（Ｄｉｇｉｔａｌ  Ｓｉｇｎａｌ  Ｐｒｏｃｅｓｓｏｒ）１６２は、ＢＢ処理モジュール１５２における信号処理を行うプロセッサである。メモリ１７２は、ＤＳＰ１６２のワークエリアとして使用される。ＢＢ処理モジュール１５２は、例えば、図８のＤＬ信号受信部１０１、ＵＬ信号送信部１０２におけるレイヤ２等の機能、ＵＥ能力情報格納部１０３、ＵＥ能力情報通知制御部１０４を含む。なお、ＵＥ能力情報格納部１０３、ＵＥ能力情報通知制御部１０４の機能の全部又は一部を装置制御モジュール１５３に含めることとしてもよい。
【００５４】
装置制御モジュール１５３は、ＩＰレイヤのプロトコル処理、各種アプリケーションの処理等を行う。プロセッサ１６３は、装置制御モジュール１５３が行う処理を行うプロセッサである。メモリ１７３は、プロセッサ１６３のワークエリアとして使用される。また、プロセッサ１６３は、ＵＳＩＭスロット１５４を介してＵＳＩＭとの間でデータの読出し及び書込みを行う。
【００５５】
＜基地局ｅＮＢ＞
図１０に、本実施の形態における基地局ｅＮＢの機能構成図を示す。図１０に示すように、基地局ｅＮＢは、ＤＬ信号送信部２０１、ＵＬ信号受信部２０２、ＵＥ能力情報格納部２０３、ＵＥ能力判定部２０４を有する。図１０は、ｅＮＢにおいて本発明の実施の形態に特に関連する機能部のみを示すものであり、少なくともＬＴＥに準拠した動作を行うための図示しない機能も有するものである。また、図１０に示す機能構成は一例に過ぎない。本実施の形態に係る動作を実行できるのであれば、機能区分や機能部の名称はどのようなものでもよい。
【００５６】
ＤＬ信号送信部２０１は、ｅＮＢから送信されるべき上位のレイヤの情報から、物理レイヤの各種信号を生成し、ＵＥに対して送信する機能を含む。ＵＬ信号受信部２０２は、ＵＥから各種の上り信号を受信し、受信した物理レイヤの信号からより上位のレイヤの情報を取得する機能を含む。ＤＬ信号送信部２０１とＵＬ信号受信部２０２はそれぞれ、パケットバッファを備え、少なくともレイヤ１（ＰＨＹ）及びレイヤ２（ＭＡＣ、ＲＬＣ、ＰＤＣＰ）の処理機能を含むことを想定している。ただし、これに限られるわけではない。
【００５７】
ＵＥ能力情報格納部２０３は、ＵＥから受信する能力情報（ＣａｐａｂｉｌｉｔｙのＲＲＣメッセージで通知される情報）を格納する。特に本実施の形態では、ＵＥ能力情報格納部２０３に格納されている能力情報には、ＵＥ能力判定部２０４により判定された下り２５６ＱＡＭに対する下りＭＩＭＯレイヤ数の情報が含まれる。
【００５８】
ＵＥ能力判定部２０４は、図３〜図７等を参照して説明したロジックを用いて、ＣａｐａｂｉｌｉｔｙのＲＲＣメッセージで通知された能力情報に基づいて、ＵＥの下り２５６ＱＡＭに対する最大の下りＭＩＭＯレイヤ数を判定し、判定結果をＵＥ能力情報格納部２０３に格納する。なお、ＵＥ能力情報格納部２０３に格納された下り２５６ＱＡＭに対する最大の下りＭＩＭＯレイヤ数の情報は、例えば、該当するＵＥに対する下りデータのスケジューリングで使用される。
【００５９】
図１０に示すｅＮＢの構成は、全体をハードウェア回路（例：１つ又は複数のＩＣチップ）で実現してもよいし、一部をハードウェア回路で構成し、その他の部分をＣＰＵとプログラムとで実現してもよい。
【００６０】
図１１は、ｅＮＢのハードウェア（ＨＷ）構成の例を示す図である。図１１は、図１０よりも実装例に近い構成を示している。図１１に示すように、ｅＮＢは、無線信号に関する処理を行うＲＥモジュール２５１と、ベースバンド信号処理を行うＢＢ処理モジュール２５２と、上位レイヤ等の処理を行う装置制御モジュール２５３と、ネットワークと接続するためのインタフェースである通信ＩＦ２５４とを有する。
【００６１】
ＲＥモジュール２５１は、ＢＢ処理モジュール２５２から受信したデジタルベースバンド信号に対して、Ｄ／Ａ変換、変調、周波数変換、及び電力増幅等を行うことでアンテナから送信すべき無線信号を生成する。また、アンテナから受信した無線信号に対して、周波数変換、Ａ／Ｄ変換、復調等を行うことでデジタルベースバンド信号を生成し、ＢＢ処理モジュール２５２に渡す。ＲＥモジュール２５１は、例えば、図１０のＤＬ信号送信部２０１及びＵＬ信号受信部２０２における物理レイヤ等の機能を含む。
【００６２】
ＢＢ処理モジュール２５２は、ＩＰパケットとデジタルベースバンド信号とを相互に変換する処理を行う。ＤＳＰ２６２は、ＢＢ処理モジュール２５２における信号処理を行うプロセッサである。メモリ２７２は、ＤＳＰ２５２のワークエリアとして使用される。ＢＢ処理モジュール２５２は、例えば、図１０のＤＬ信号送信部２０１及びＵＬ信号受信部２０２におけるレイヤ２等の機能、ＵＥ能力情報格納部２０３、ＵＥ能力判定部２０４を含む。なお、ＵＥ能力情報格納部２０３、ＵＥ能力判定部２０４の機能の全部又は一部を装置制御モジュール２５３に含めることとしてもよい。
【００６３】
装置制御モジュール２５３は、ＩＰレイヤのプロトコル処理、ＯＡＭ処理等を行う。プロセッサ２６３は、装置制御モジュール２５３が行う処理を行うプロセッサである。メモリ２７３は、プロセッサ２６３のワークエリアとして使用される。補助記憶装置２８３は、例えばＨＤＤ等であり、基地局ｅＮＢ自身が動作するための各種設定情報等が格納される。
【００６４】
なお、図８〜図１１に示す装置の構成（機能区分）は、本実施の形態で説明する処理を実現する構成の一例に過ぎない。本実施の形態で説明する処理を実現できるのであれば、その実装方法（具体的な機能部の配置、名称等）は、特定の実装方法に限定されない。
【００６５】
（その他の例）
本実施の形態では、ＵＥの能力として、下り２５６ＱＡＭ及び下りＭＩＭＯレイヤ数を挙げているが、これらは例に過ぎない。例えば、上り方向についても下り方向と同様の能力情報通知を行うことができる。また、下り２５６ＱＡＭに代えて、他の変調方式（例：２５６ＱＡＭよりも信号点の数が多い変調方式）についても下り２５６ＱＡＭの場合と同様の能力情報通知を行うことができる。また、変調方式以外の能力についても下り２５６ＱＡＭの場合と同様の能力情報通知を行うことができる。
【００６６】
更に、下りＭＩＭＯレイヤ数に代えて、他の能力についても下りＭＩＭＯレイヤ数の場合と同様の能力情報通知を行うことができる。下りＭＩＭＯレイヤ数に代えて（あるいは下りＭＩＭＯレイヤ数に加えて）使用される能力の例としては、ＣＳＩ（Channel State Information）プロセス数がある。ＣＳＩプロセス数とは、ＣｏＭＰ（Coordinated Multi-Point transmission/reception）を適用する場合において、ＵＥが使用できる最大のＣＳＩプロセスの数である。ＣＳＩプロセス数についても、下りＭＩＭＯレイヤ数と同様に、下り周波数バンド毎にＵＥからｅＮＢに対して能力通知がなされる。つまり、「既存下りＭＩＭＯレイヤ数」と同様の「既存ＣＳＩプロセス数」が存在する。そして、これまでに説明した、下り２５６ＱＡＭに対する「追加ＭＩＭＯレイヤ数」と同様に、下り２５６ＱＡＭに対する「追加ＣＳＩプロセス数」をシグナリングに導入することができる。この場合のｅＮＢ側の判断は「追加ＭＩＭＯレイヤ数」の場合と同様に行うことができる。
【００６７】
（実施の形態のまとめ）
以上、説明したように、本実施の形態では、基地局とユーザ装置とを備える移動通信システムにおいて使用される前記ユーザ装置であって、前記ユーザ装置において第１の機能がサポートされていることを示す第１の能力情報と、前記ユーザ装置がサポートする第２の機能の能力を示す第２の能力情報とを前記基地局に通知する能力情報通知部を備え、前記能力情報通知部が、前記第１の能力情報と前記第２の能力情報に加えて、前記第１の機能に対応した前記第２の機能の能力を示す第３の能力情報を前記基地局に通知する場合に、前記基地局において、前記ユーザ装置は、前記第１の機能に対して、前記第３の能力情報に示される前記第２の機能の能力を有すると判断され、前記能力情報通知部が、前記第３の能力情報を前記基地局に通知しない場合に、前記基地局において、前記ユーザ装置は、前記第１の機能に対して、前記第２の能力情報に示される前記第２の機能の能力を有すると判断されることを特徴とするユーザ装置が提供される。
【００６８】
上記の構成において、例えばユーザ装置が、第１の機能（例：下り２５６ＱＡＭ）に対して、第２の能力情報で示される第２の機能の能力（例：下り最大ＭＩＭＯレイヤ数＝８）をサポートする場合には、第３の能力情報を通知することは不要である。一方、ユーザ装置が、第１の機能に対して、第２の能力情報で示される第２の機能の能力（例：下り最大ＭＩＭＯレイヤ数＝８）をサポートしない場合、第３の能力情報により、サポートする第２の機能の能力（例：下り最大ＭＩＭＯレイヤ数＝４）を通知することができる。
【００６９】
すなわち、上記の構成により、制御信号の量を必要以上に増加させることなく、ユーザ装置が能力情報を適切に基地局に通知することが可能となる。
【００７０】
前記第１の機能は、例えば所定の変調方式であり、より具体的には、例えば下り２５６ＱＡＭである。この構成により、ユーザ装置は、所定の変調方式に対する第２の機能の能力に応じて、能力情報を適切に基地局に通知することが可能となる。
【００７１】
また、前記第２の機能の能力は、例えば、前記ユーザ装置がサポートする最大の下りのＭＩＭＯレイヤ数、又は、前記ユーザ装置がサポートする最大のＣＳＩプロセス数である。この構成により、ユーザ装置は、第１の機能に対してサポートする最大下りＭＩＭＯレイヤ数、又は、第１の機能に対してサポートする最大ＣＳＩプロセス数に応じて、能力情報を適切に基地局に通知することが可能となる。
【００７２】
また、本実施の形態により、基地局とユーザ装置とを備える移動通信システムにおいて使用される前記基地局であって、前記ユーザ装置において第１の機能がサポートされていることを示す第１の能力情報と、前記ユーザ装置がサポートする第２の機能の能力を示す第２の能力情報とを前記ユーザ装置から受信する受信部と、前記ユーザ装置の能力を判定する能力判定部とを備え、前記受信部が、前記第１の能力情報と前記第２の能力情報に加えて、前記第１の機能に対応した前記第２の機能の能力を示す第３の能力情報を前記ユーザ装置から受信した場合に、前記能力判定部は、前記ユーザ装置が、前記第１の機能に対して、前記第３の能力情報に示される前記第２の機能の能力を有すると判断し、前記受信部が、前記第３の能力情報を前記ユーザ装置から受信しない場合に、前記能力判定部は、前記ユーザ装置が、前記第１の機能に対して、前記第２の能力情報に示される前記第２の機能の能力を有すると判断することを特徴とする基地局が提供される。
【００７３】
上記の構成に示した機能を基地局が備えることにより、制御信号の量を必要以上に増加させることなく、基地局は、ユーザ装置の能力を適切に判断することが可能となる。
【００７４】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、基地局ｅＮＢ及びユーザ装置ＵＥは機能的なブロック図を用いて説明されたが、そのような装置はハードウェアで、ソフトウェアで又はそれらの組み合わせで実現されてもよい。本発明の実施の形態に従って、ユーザ装置ＵＥ及び基地局ｅＮＢが有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００７５】
本発明は上記実施形態に限定されず、本発明の精神から逸脱することなく、様々な変形例、修正例、代替例、置換例等が本発明に包含される。
【符号の説明】
【００７６】
ＵＥ  ユーザ装置
ｅＮＢ  基地局
１０１  ＤＬ信号受信部
１０２  ＵＬ信号送信部
１０３  ＵＥ能力情報格納部
１０４  ＵＥ能力情報通知制御部
１５１  ＲＥモジュール
１５２  ＢＢ処理モジュール
１５３  装置制御モジュール
１５４  ＵＳＩＭスロット
２０１  ＤＬ信号送信部
２０２  ＵＬ信号受信部
２０３  ＵＥ能力情報格納部
２０４  ＵＥ能力判定部
２５１  ＲＥモジュール
２５２  ＢＢ処理モジュール
２５３  装置制御モジュール
２５４  通信ＩＦ
【図１】
2017147570.tif 000003
【図２】
2017147570.tif 000004
【図３】
2017147570.tif 000005
【図４】
2017147570.tif 000006
【図５】
2017147570.tif 000007
【図６】
2017147570.tif 000008
【図７】
2017147570.tif 000009
【図８】
2017147570.tif 000010
【図９】
2017147570.tif 000011
【図１０】
2017147570.tif 000012
【図１１】
2017147570.tif 000013